(57)【要約】      （修正有）【課題】カード又はコインを挿入して、一人ずつ中に入る事ができる喫煙室を提供する。【解決手段】喫煙室の入口に回転ドアを備え、ドア付近の喫煙室の外側の壁に、カードとコインの挿入口を設ける。【選択図】図２
0003163953.tif 000002
【実用新案登録請求の範囲】
【請求項１】
喫煙室を設置し、中に入る為には、カード（タスポ）か、有料で、尚且つ、回転ドアーにして、１人づつ入る仕組みの喫煙室
【考案の詳細な説明】
【技術分野】
【０００１】  本考案は、回転ドアーをカードか、お金で、１人づつ中に入れる、換気の良い、喫煙室を設置
【背景技術】
【０００２】  電車内、駅、イベント会場、街中、色々な場所で、禁煙は実施されているが、喫煙室は設置されていない現状、健康の為に、たばこの吸い過ぎに注意と書いて、高額税金を取って、たばこを売っている政府とＪＴ日本たばこ産業株式会社は、愛煙家の為に喫煙室を設置する義務があるのでは？、と思います。
【考案の開示】
【考案が解決しようとする課題】
【０００３】  駐車禁止場所を多くして、駐車場を作らず、駐輪禁止地区を指定して、駐輪場を作らずが如く、あちらこちらに禁煙場所を作っているが、喫煙指定場所は、在っても駅の隅っこに、灰皿を置いてあるだけの、吹きさらしの場所、皆は駅に行くまでの歩きたばこ、自転車乗りたばこ、などを見かける、そして、たばこが有れば２０才未満でも、たばこを吸える、違反は野放し状態である。
喫煙室を設置して、タスポ（カード）で入れるようにすれば、タスポを持っているのは２０才以上のはずである。そして回転ドアーにしたのは、タスポ（カード）の無い未成年が、一緒に入れ無いようにする為で、もしタスポ（カード）を忘れた人は、有料（￥５０〜￥１００）でも入れるシステムをする、愛煙家は、ゆっくりと一服（休息）をしたいと思っているからである。
日本たばこ産業株式会社や、日本たばこ協会は、たばこを売る時だけじゃなしに、たばこを喫煙する時、たばこを捨てる時まで責任があると思います。（愛煙家の為に、安全な喫煙を）
【課題を解決する手段】
【０００４】  日本政府は、たばこを値上げして増税をするなら、ＪＴ日本たばこ産業株式会社や日本たばこ協会と一緒に、もっと愛煙家に対して、考えてもらい、喫煙室を設置する義務があると思います。
まず、日本たばこ協会は、２０才以上の人に、たばこを買う為のタスポを作らせて、たばこ自販機に、高いカード識別機を付けさせたが、たばこ自販機は、売り上げ低下である、そして買ったあとは、どこでも勝手に吸って、では、無責任だと思います、せっかくタスポと云うカードを作ったのであれば、たばこを買う時、喫煙する時、火を消して捨てる時、そこまで日本たばこ協会は、責任を持って考えて貰いたいものです。
愛煙家の為に、安全な喫煙をして貰うには、喫煙室を駅構内や、イベント会場や街中に、タスポ（カード）か、もしくは有料の喫煙室に入って、喫煙してもらうのが、喫煙者に対しての企業の有り方だと思います。
【考案の効果】
【０００５】  日本政府は、喫煙者を無視して、健康の為と理由を付けて、たばこ税を増税して、値上げをするが、どれだけの人間が、禁煙をして辞めれるか？それでも愛煙家は残るでしょう、その愛煙家達も、禁煙場所ばかりで、喫煙場所が無い、たばこの高い税金払って、なぜ喫煙場所を作ってくれないのか？だんだん怒りが出てくるでしょう。そんな愛煙家達に納得して貰う為にも。喫煙室を設けて下さい。
日本政府も事実、たばこは体に良くないと言っても、たばこを無くす事は出来ないでしょう。そしてこれ以上値上げすれば、安い中国産たばこ、韓国産たばこに走るでしょう。そうなれば、ＪＴ日本たばこ産業株式会社の企業で働く人達、たばこを栽培している農家の人達など、失業者が増えるでしょう、又ちまたに、たばこの密造、密売などが、増えて世間が乱るでしょう。
【考案を実施する為の最良の形態】
【０００６】  日本政府とＪＴ日本たばこ産業株式会社と日本たばこ協会が、一緒に駅構内、イベント会場、街中などに、カード（タスポ等）か、有料（￥５０〜￥１００）で、１人づつでないと、入られない喫煙室を設置する。中は換気が良く、たばこの自販機とカップのコーヒ、ジュース等（￥８０〜￥１００）の自販機、パン（￥８０〜￥１００）の自販機を設置、長テーブルの上に灰皿を置き、椅子はベンチシートでよいと思う、喫茶店よりも安上がりと思うイメージを作り、そして、出る時も１人づつ出て行く構造になっている。
【図面の簡単な説明】
【０００７】
【図１】本考案の全体斜めからの予想図
【図２】本考案の真上からの予想図
【符号の説明】
【０００８】  １  喫煙室
２  回転ドアー
３  換気扇
４  換気口
５  長テーブル
６  ベンチシート
７  カード（タスポ等）とコイン挿入口
８  たばこ自販機
９  コーヒ、ジュース等カップ自販機
１０  パン等自販機
【図１】
0003163953.tif 000003
【図２】
0003163953.tif 000004
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
回転ドアー喫煙室を設置して、中に入るには、カード「タスポ（登録商標）」は無料、カードの無い者はコインで有料で、１人づつ入れる仕組みの喫煙室
【手続補正２】
【補正対象書類名】明細書
【補正対象項目名】全文
【補正方法】変更
【補正の内容】
【考案の詳細な説明】
【技術分野】
【０００１】本考案は、カード「タスポ（登録商標）」は無料で、カードの無い者はコインで有料として、回転ドアーで１人づつ中に入れる、換気の良い喫煙室、中には、たばこ自販機、カップコーヒ自販機、パン自販機、などがあれば、付加価値が付く
【背景技術】
【０００２】電車内、駅、イベント会場、街中、色々な場所で、禁煙は実施されているが、喫煙室は設置されていない現状、健康の為に、たばこの吸い過ぎに注意と書いて、高額税金を取って、たばこを売っている政府は、愛煙家の為に喫煙室を設置する義務があると思います。
【考案の開示】
【考案が解決しょうとする課題】
【０００３】  駅の近くは駐車禁止場所を多くして、駐車場は少なく、又駐輪禁止地区を多く作り、駐輪場を作らずが如く、あちらこちらに禁煙場所を作っているが、喫煙場所は、駅の端っこの、吹きっさらしの場所で、灰皿を置いて在るだけ、これでは未成年でも、その場所で喫煙が出来る。そして皆は、最寄の駅に行くまでの歩きたばこ、自転車乗りたばこ、などを見かける、違反は野放し状態である。
回転ドアー喫煙室を設置すれば、カード「タスポ（登録商標）」は２０才以上の発行であるから、安心である。
【課題を解決する手段】
【０００４】  あちらこちらに禁煙場所を作って、駅の端っこに灰皿を置いただけの喫煙場所、愛煙家には肩身の狭い思いであるのに、日本政府は、増税をして、たばこを値上げして、その税金をあてにして予算を組む、それならば、愛煙家の為に、愛煙家がゆっくりたばこを楽しめる、有料でも良いから喫煙室を作って、愛煙家も納得する増税をして下さい。
そしてカード「タスポ（登録商標）」も、たばこ自販機だけの為に、愛煙家が色々書類を送って、手にいれたカードが、コンビニではカードは不要では、あまり意味を成していない、これを生かす為には、回転ドアー喫煙室だと思う、カード（無料）で中に入れるが、カードが無ければコイン（有料）で入れる喫煙室である。
【考案の効果】
【０００５】  日本政府も事実、たばこは身体に良くないと言っても、たばこを無くす事は出来ないでしょう。これ以上値上げをすれば、愛煙家達は、安い中国産たばこ、韓国産たばこに替えるでしょう。そうなれば日本たばこは売り上げが下がるし、日本たばこ関連の仕事が無くなり、外国たばこの密造、密売が増えて、世間がみだれるでしょう。そうならない様にたばこを値上げをする時は、愛煙家を無視しないで欲しい。
【図面の簡単な説明】
【０００６】
【図１】  本考案の全体斜めからの予想図
【図２】  本考案の真上からの予想図
【符号の説明】
【０００７】  １  喫煙室
２  回転ドアー（入り口）
３  換気扇
４  換気口
５  長テーブル
６  ベンチシート
７  カードとコイン挿入口
８  たばこ自販機
９  コーヒ、ジュース等カップ自販機
１０  パン等自販機
１１  回転ドアー（出口）
１２  窓
【手続補正４】
【補正対象書類名】図面
【補正対象項目名】全図
【補正方法】変更
【補正の内容】
【図１】
0003163953.tif 000005
【図２】
0003163953.tif 000006
【手続補正書】
【提出日】平成22年8月20日(2010.8.20)
【手続補正１】
【補正対象書類名】実用新案登録請求の範囲
【補正対象項目名】全文
【補正方法】変更
【補正の内容】
【実用新案登録請求の範囲】
【請求項１】
回転ドアー喫煙室を設置して、入り口となる回転ドアーを備える喫煙室であって、前記回転ドアー付近の喫煙室の外側の壁に、タスポ（登録商標）カードとコイン挿入口を設けることで、前記カード、又は、前記カードの無い者はコインを挿入して、一人づつ中に入る事が出来るようにした喫煙室